(57)【特許請求の範囲】
【請求項１】
部品供給装置により間歇駆動されるリール本体部と、前記リール本体部に着脱自在に取り付けられるリールキャップと、前記リール本体部とリールキャップの間に保持される巻き取りリングとから構成され、部品実装装置に部品を供給するキャリアテープを覆って保護する被覆テープを使用後に前記巻き取りリングの外周面に巻き取って回収する部品供給装置の巻き取り部において、
前記巻き取りリングは、当該リングの１箇所が切り離された分離部を有し、前記分離部が前記リングの軸方向に沿って相互にずれる柔軟性を前記巻き取りリングが備え、前記分離部において対向するいずれか一方の分離面が、当該分離面に沿って延在するいずれか他方の分離面に突出する凸状部を有し、前記いずれか他方の分離面が、前記凸状部に対応した凹状部を有していることを特徴とする部品供給装置の巻き取り部。
【請求項２】
部品供給装置により間歇駆動されるリール本体部と、前記リール本体部に着脱自在に取り付けられるリールキャップと、前記リール本体部とリールキャップの間に保持される巻き取りリングとから構成され、部品実装装置に部品を供給するキャリアテープを覆って保護する被覆テープを使用後に前記巻き取りリングの外周面に巻き取って回収する部品供給装置の巻き取り部において、
前記巻き取りリングが、
当該リングを形成する半円状の２つのリング半片と、
前記両リング半片を円周方向にある少なくとも一方の端部でつなぎ、いずれか一方のリング半片がいずれか他方のリング半片に対して揺動可能に保持するヒンジピンとから構成され、前記ヒンジピンが、前記両リング半片の円周方向にあるいずれか一方の端部にそれぞれ設けられた曲げ部をつなぐヒンジピンであることを特徴とする巻き取り部。
【請求項３】
部品供給装置により間歇駆動されるリール本体部と、前記リール本体部に着脱自在に取り付けられるリールキャップと、前記リール本体部とリールキャップの間に保持される巻き取りリングとから構成され、部品実装装置に部品を供給するキャリアテープを覆って保護する被覆テープを使用後に前記巻き取りリングの外周面に巻き取って回収する部品供給装置の巻き取り部において、
前記巻き取りリングが、当該リングを形成する半円状の２つのリング半片から構成され、前記両リング半片の円周方向にある両端部に、両リング半片を組み合わせて巻き取りリングを形成する際に相互に吸引し合うよう配置されたマグネットがそれぞれ設けられていることを特徴とする巻き取り部。
【請求項４】
部品を収納したキャリアテープを搬送し、部品実装装置に部品を供給する部品供給装置において、
前記キャリアテープを覆って前記収納された部品を保護する被覆テープを使用後に回収するため、請求項１から請求項３のいずれか一に記載の巻き取り部を備えていることを特徴とする部品供給装置。
【発明の詳細な説明】
【技術分野】
【０００１】
本発明は、回路基板に実装される部品を部品実装装置に供給する際、キャリアテープから剥離される被覆テープを巻き取り部に巻き取って回収し、その後、被覆テープを巻き取り部から取り外すための巻回被覆テープの回収方法、及び部品供給装置の巻き取り部、並びに部品供給装置に関する。
【背景技術】
【０００２】
電子回路基板の組み立て工程において、チップ型電子部品等を回路基板上に自動装着する部品実装装置が広く使用されている。この部品実装装置へ部品を供給するため、キャリアテープに収納された部品を連続的に搬送して供給する部品供給装置が使用される。部品供給装置は、キャリアテープを覆う被覆テープを剥離しながらキャリアテープの収納部に収められている部品を取り出し可能に保持して部品実装装置への供給を行う。
【０００３】
近年、部品実装装置の生産性向上要求に伴い、部品供給装置のキャリアテープの交換作業は短い間隔で行なわれる。このため、従来技術では、表面が剥離可能な被覆テープで覆われた部品収納部を有するキャリアテープを搬送面に沿って搬送し、被覆テープをキャリアテープのベーステープから剥離しながら巻き取り部に巻き取り、電子部品を収納部から取り出し可能に保持する部品供給装置において、巻き取り部の巻き取り面を、巻胴の一端面に設けたガイドフランジ側に傾斜する形状に形成し、被覆テープを巻き取り部のガイドフランジ側に沿って巻き取ることとした技術が開示されている（例えば、特許文献１参照。）。
【０００４】
このような構成とすることにより、被覆テープは常時巻き取り部側に安定した状態で巻き取られ、巻き取り部の取り外し操作も支障なく行われ、かつ、巻き取りラチェットの回転抵抗を減少するので、巻き取りラチェットの変形を防止し、巻き取り不良を生じない部品供給装置を提供し、電子部品の供給率と生産性の向上を図ることができるとしている。
【０００５】
また、他の従来技術では、収納テープの長手方向に所定ピッチで部品を収納し被覆テープで覆ったテーピング部品を長手方向に移動させながら、この移動の途中で収納テープから被覆テープを分離して、部品を所定位置に順次供給するようにした部品供給装置において、分離した被覆テープを巻き取るリールが、駆動軸に着脱できるように装着される巻胴とこれの一端部のガイドフランジとを有する巻き取り部を備え、この巻き取り部の巻胴の外周に非弾性体よりなる補助リングを回り止め係合部を有して着脱自在に嵌め合わせ、この補助リングの外周に被覆テープを巻き取るようにした技術が開示されている（例えば、特許文献２）。また、ガイドフランジのほぼ巻胴外周部位置に、適数の治具通し穴を設けている。
【０００６】
このような構成とすることにより、巻胴に嵌め合わせた補助リングをこれに巻き取られている被覆テープと共に取り外す際、補助リングは非弾性体で巻き圧によっても巻胴との嵌まり合いがきつくなることはなく、巻き胴から容易に取り外せる。また、取外した補助リングはまわりにガイドフランジのような邪魔ものがなく、まわりの各所から分離力を加えられる状態となるので、被覆テープを容易かつ迅速に取外すことができる。さらに、ガイドフランジに治具通し穴を設けているので、治具通し穴を通じて挿入する治具によって、補助リングを簡易にかつ迅速に巻き胴から取り外すことができる。この結果、巻き取り部を再度駆動軸に装着して供給部品の交換を短時間で達成することができる、としている。
【特許文献１】特開平１１−４６０９１号公報
【特許文献２】特開平７−２１２０８２号公報
【発明の開示】
【発明が解決しようとする課題】
【０００７】
しかしながら、巻き取り部における被覆テープの巻き取りは、キャリアテープから被覆テープを剥離しながら行なうために剥離抵抗が働き、被覆テープが巻き取り部の巻胴に比較的きつく密に巻き取られることが多い。このため、巻き取り部には巻回された被覆テープによる締め付け力が加わり、部品供給装置の部品交換が発生して巻き取られた被覆テープを巻胴から外す際に、被覆テープが巻胴から容易に外れず、手間、時間がかかり、この間、部品の供給が停止し、電子部品の供給率と生産性とを低下させる虞があった。また、補助リング、治具通し穴を備えた部品供給装置においても、被覆テープが補助リングにきつく密に巻き取られれば、被覆テープが補助リングから容易に外れなくなっていた。
【０００８】
本発明は上記状況に鑑みてなされたもので、リングにきつく密に巻き取られた被覆テープが、治具を使用せずに、容易に、しかも、迅速かつ確実に取り外せる巻回被覆テープの回収方法及び部品供給装置の巻き取り部、並びに部品供給装置を提供し、もって電子部品の供給率と生産性の向上を図ることを目的とする。
【課題を解決するための手段】
【０００９】
本発明は、前記巻き取りリングにリングの一部を切り離した分離部を設け、被覆テープを巻き取った後に前記分離部を前記巻き取りリングの軸方向に相互にずらして被覆テープによって加わる前記巻き取りリングへの締め付け力を解放して巻き取りテープを回収することにより上述した課題を解決するもので、具体的には以下の内容を含む。
【００１０】
すなわち、本発明に係る第１の態様は、部品供給装置により間歇駆動されるリール本体部と、前記リール本体部に着脱自在に取り付けられるリールキャップと、前記リール本体部及びリールキャップの間に保持される巻き取りリングとから構成され、部品実装装置に部品を供給するキャリアテープを覆って保護する被覆テープを使用後に前記巻き取りリングの外周面に巻き取って回収する部品供給装置の巻き取り部であって、前記巻き取りリングは当該リングの１箇所が切り離された分離部を有し、前記分離部が前記リングの軸方向に沿って相互にずれる柔軟性を前記巻き取りリングが備えていることを特徴とする部品供給装置の巻き取り部に関する。前記巻き取りリングは、前記リール本体部のボス部、又は前記リールキャップの巻胴のいずれかの外周に嵌装することができる。
【００１１】
前記分離部は、前記リングの軸方向と略平行に切り離された部分、または前記リングの軸方向に対して角度を設けて切り離された部分のいずれかとすることができる。この場合、前記巻き取りリングの前記分離部において対向するいずれか一方の分離面に、当該分離面に沿って延在するいずれか他方の分離面に突出する凸状部を設け、前記いずれか他方の分離面に、前記凸状部に対応した凹状部を設けることができる。これによって、被覆テープを巻回した状態で前記分離部がリングの半径方向にずれる事態を防止することができる。
【００１２】
本発明にかかる他の態様は、同じくリール本体部とリールキャップと巻き取りリングとから構成されて被覆テープを巻き取る部品供給装置の巻き取り部であって、前記巻き取りリングが、当該リングを形成する半円状の２つのリング半片と、前記両リング半片の円周方向にあるいずれか一方の端部にそれぞれ設けられた曲げ部をつなぎ、いずれか他方の端部が前記リングの軸方向に沿ってずれるよう揺動可能に保持するヒンジピンとから構成されていることを特徴とする巻き取り部に関する。
【００１３】
本発明にかかるさらに他の態様は、同じくリール本体部とリールキャップと巻き取りリングとから構成される部品供給装置の巻き取り部であって、前記巻き取りリングが当該リングを形成する半円状の２つのリング半片から構成され、前記両リング半片の円周方向の両端部に、両リング半片を組み合わせて巻き取りリングを形成する際に相互に吸引し合うよう配置されたマグネットがそれぞれ設けられていることを特徴とする巻き取り部に関する。
【００１４】
本発明にかかるさらに他の態様は、部品を収納したキャリアテープを搬送し、部品実装装置に部品を供給する部品供給装置であって、被覆テープを使用後に回収するために上述のいずれかの巻き取り部を備えていることを特徴とする部品供給装置に関する。
【００１５】
本発明にかかるさらに他の態様は、被覆テープを使用後に巻き取りリングの外周面に巻き取って回収する被覆テープの回収方法において、前記巻き取りリングに分離部を設け、当該分離部を前記リングの軸方向に相互にずらして前記被覆テープにより前記巻き取りリングに加わる圧縮力を解放し、前記被覆テープを回収することを特徴とする方法に関する。
【発明の効果】
【００１６】
本発明に係る巻き取りリングを備えた巻き取り部を実施することにより、被覆テープを巻回した状態における巻き取りリングへの被覆テープによる締め付け力を容易に消失させることができ、被覆テープを簡単に取り外すことができる。このため、巻き取り部の段取りを短時間で完了することができ、部品実装の生産性を高めることができる。
【発明を実施するための最良の形態】
【００１７】
以下、本発明に係る巻回被覆テープの回収方法、及び部品供給装置の巻き取り部、並びに部品供給装置の好適な実施の形態につき、図面を参照して詳細に説明する。図１は、本実施の形態にかかる部品供給装置の斜視図を示している。図において、部品供給装置１００は、回路基板等に電子部品を実装する図示しない部品実装装置に適用されるものである。部品供給装置１００は、部品実装装置で必要とする部品の種類数だけ部品実装装置に装備され、その時々に必要な種類の部品を保持した部品供給装置１００が部品実装装置と対向する位置に移動される。そして、図示しない部品実装装置の実装ヘッドに配設された吸着ノズルによって部品供給位置に供給された部品が吸着され、回路基板等に実装される。
【００１８】
部品供給装置１００は、大略的に、部品実装装置側からの指令（押下動作）を受けて部品を供給する部品供給部１１を有する本体１と、本体１に接続されテーピング部品の巻回された部品リールを保持する部品リール保持部３とから成る。本体１はさらに、被覆テープ巻き取り部９と、部品供給部１１と、これらを駆動するための駆動力伝達部１３とから構成されている。この内、駆動力伝達部１３は、被覆テープ巻き取り部９、および部品供給部１１との間で一部構成要素が重複している。
【００１９】
図２は、部品リール保持部３に保持される部品リール４を示している。部品リール４は、多数の部品１０をテープ状に収納したキャリアテープ５を巻回している。キャリアテープ５は、テープ長手方向に所定ピッチで形成した収納部８内に部品１０を連続的に収納したベーステープ６と、その上面を覆って部品１０を保護する被覆テープ７とにより構成されている。
【００２０】
図１に戻って、被覆テープ巻き取り部９はフレーム１５に固定されており、部品実装装置からの押下動作を受けて支点軸１７を中心として回転するフィードレバー１９と、支点軸１７を回転中心とする略Ｖ字型を成し、一端側にフィードレバー１９の開口部１９ａ内に挿入される突起部２３ａを有し、フィードレバー１９の回転に伴い開口部１９ａの内壁面と突起部２３ａの当接が外れることで回転する巻き取りレバー２３と、巻き取りレバー２３の他端側に形成された図示しない支軸に付勢バネを介して取り付けられたギアアーム２５と、ギアアーム２５の先端で図示しない支軸に軸支されたワンウェイクラッチを備えた巻き上げギア２７と、巻き取り方向のみ回転が許容されるワンウェイクラッチ２９ａ（図３参照）を介して本体１側に取り付けられ、周面が歯形形状に形成されたリール本体部２９とから構成されている。
【００２１】
巻き上げギア２７は、リール本体部２９周面の歯に噛み合って、リール本体部２９の回転可能方向とは反対方向にのみ回転が許容される。即ち、巻き上げギア２７とリール本体部２９とが噛み合った状態では、リール本体部２９の巻き取り方向のみ回転が許容されることになる。リール本体部２９には、リール本体部２９に対面してリールキャップ３１が取り付けられ、このリール本体部２９とリールキャップ３１とによって被覆テープ７を巻回するようになっている。
【００２２】
フィードレバー１９は、フィードバネ３３により押圧面１９ｂが図１における上方に常に付勢され、巻き取りレバー２３はフレーム１５側に固定された巻き取りバネ３５により常に図１における上方に付勢され、ギアアーム２５は図示しない付勢バネにより巻き上げギア２７をリール本体部２９の周面に押圧させている。さらに、フレーム１５には、被覆テープ７懸架用のテンションローラ３７、３９を回転自在に配設し、フィードレバー１９の端部には、チャージローラ４１を回転自在に設けている。被覆テープ７は、キャリアテープ５からの剥離後にテンションローラ３７、３９に懸架されてリール本体部２９に巻き取られ、テンションローラ３７、３９間のチャージローラ４１より図１における上方に引き上げられる。
【００２３】
以上のように構成された被覆テープ巻き取り部９では、フィードレバー１９が押下されていない初期状態から、フィードレバー１９先端の押圧面１９ｂが部品実装装置からの押下動作を受け、フィードレバー１９が揺動する。このフィードレバー１９が揺動することにより、巻き取りレバー２３は巻き取りバネ３５の引張力により、フィードレバー１９の開口部１９ａの内壁に突起部２３ａが沿うように、巻き取りレバー２３が揺動し、ギアアーム２５の先端に取り付けられた巻き上げギア２７が回転を停止した状態でリール本体部２９を巻き取り方向に回転させる。
【００２４】
そして、押下動作が解除されフィードレバー１９がフィードバネ３３の弾性により初期状態に戻るとき、巻き取りレバー２３の突起部２３ａがフィードレバー１９の開口部１９ａの内壁面に当接して巻き取りレバー２３が引き戻される。すると、巻き上げギア２７は回転しながらリール本体部２９の歯と噛み合って初期状態の位置に戻る。このとき、リール本体部２９は、ワンウェイクラッチ２９ａによって巻き取り方向とは逆方向の回転が阻止されているため、回転することなく被覆テープ７を巻き取った状態で停止する。
【００２５】
部品供給部１１は、スライド可能に支持された図示しないシャッターを備え、シャッターは、前述した駆動力伝達部１３からの力を受けてスライド動作する。また、シャッターはスリット４３を有し、キャリアテープ５の収納部の上面を狭く開口し、被覆テープ幅方向両端側の上面を広く開口するように形成している。このシャッターによる被覆テープ７の剥離は、キャリアテープ５の上面を押さえる図示しないガイド部にて行われる。
【００２６】
次に、被覆テープ巻き取り部９について説明する。図３は、本実施の形態にかかる被覆テープ巻き取り部９の断面を示している。図において、キャリアテープ５から剥離された被覆テープ７は、リール本体部２９のボス部４８に嵌装された巻き取りリング５１の外周面である巻き取り面５１ａ上に巻き取られる。リール本体部２９は、駆動軸４７にワンウェイクラッチ２９ａを介して取付けられる。
【００２７】
リール本体部２９の図の左側端面には一対の係止翼部６３、６３が設けられている。また、リールキャップ３１の半径方向外側に切り欠いた一対の係止溝６５、６５が形成されている。リールキャップ３１は、この係止溝６５、６５に係止翼部６３、６３を挿入し、リール本体部２９と相対回転させることにより、リール本体部２９に脱着自在に取り付けられる。このようにしてリール本体部２９とリールキャップ３１の間に保持され、リール本体部２９のボス部４８に嵌装された巻き取りリング５１の巻き取り面５１ａ上に被覆テープ７が巻回され、回収される。
【００２８】
図４（ａ）、（ｂ）は、本発明にかかる第１の実施の形態の巻き取りリング５１を示している。図４（ａ）において、本実施の形態にかかる巻き取りリング５１は、当該リングの１箇所をリングの軸方向と略平行に切り離した分離部５２を備えるリング状部材から形成されている。巻き取りリング５１は、柔軟性のある金属、あるいはプラスチックにより製造され、図４（ｂ）に示すように、分離部５２を境として相互に矢印Ａで示すリングを形成する軸方向に沿ってずらして移動させる弾性変形が可能である。
【００２９】
巻き取りリング５１は、分離部５２がつながった真円リング状態で図３に示すようにリール本体部２９のボス部４８の外周に嵌装され、巻き取り面５１ａ上に一定量の被覆テープ７が巻き取られる。図５は巻き取り面５１ａ上に被覆テープ７を巻回した巻き取りリング５１の断面を示している。その後、着脱自在のリールキャップ３１が取り外されて図５に示すように、巻き取り面５１ａに被覆テープ７を巻回した状態のリング５１がボス部４８から引き抜かれる。さらに、図４（ｂ）の矢印Ａで示すように、分離部５２が巻き取りリング５１の軸方向に相互にずらされ、これによって巻き取り面５１ａ上に巻回された被覆テープ７による締め付け力が解放され、巻き取り面５１ａから被覆テープ７を容易に回収することができる。前記分離部５２のずらし作業は、オペレータが手で行うことができるほか、簡単な治具、装置を利用してもよい。
【００３０】
ここで、巻き取りリング５１のリングが一部切り離された部分を分離部５２と呼んでいるが、この分離部５２は必ずしも物理的に「切断」して形成されていなくてもよい。例えば、板状の細長い帯材をリング状に丸めて両先端部を付き合わせるように形成してもよい。したがって、ここでいう「分離部」には、リングの一部を切断して形成された以外に、その他の方法によってリングの一部が分離して構成された状態のものをも包含している。
【００３１】
図４（ｃ）は、巻き取りリング５１の他の態様を示す。ここでは巻き取りリング５１が２つの分離部５２ａ、５２ｂによって２つの半円状のリング半片５１Ａ、５１Ｂに分割され、この両者をヒンジピン５３で結んでいる。このため、各リング半片５１Ａ、５１Ｂの一方の側の分離部５２ｂに、それぞれヒンジピン５３を受け入れる曲げ部が形成されている。ヒンジピン５３を軸として両リング半片５１Ａ、５１Ｂが他方の側の分離部５２ａで揺動可能となるよう組み合わせて構成することにより、巻回された被覆テープ７を取り外す際の分離部５２ａのずらし動作をスムーズに行うことができるようになる。これによって各リング半片５１Ａ、５１Ｂには柔軟性が不要となり、巻き取りリング５１自身を、鉄やステンレス鋼などの固くて丈夫な材料とすることもできる。なお、リール本体部２９のボス部４８には、分離部５２ｂの曲げ部を受け入れる溝が設けられる。
【００３２】
図６は、図３に示す被覆テープ巻き取り部９の代替の態様を示している。図において、巻き取りリング５１はリール本体部２９のボス部４８側ではなく、リールキャップ３１側に設けられたボス部である巻胴５９の外周に嵌装されて取り付けられている。その他の構成は図３に示すものと同様である。このように構成した場合も先の態様と同様に、巻き取りリング５１の巻き取り面５１ａに被覆テープ７が巻き取られ、その後、巻き取りリング５１が巻胴５９から抜き取られ、分離部５２で軸方向にずらされることによって被覆テープ７を容易に回収することが可能である。この態様においては、リールキャップ３１をリール本体部２９から取り外した際に、巻き取りリング５１が巻胴５９に嵌装された状態でリールキャップ３１と共に取り外されることとなり、取り扱いがより容易となる。
【００３３】
図７（ａ）、（ｂ）は、本実施の形態にかかる巻き取りリングのさらに他の態様を示したもので、いずれも巻き取りリングを側面から見ている。先の態様に示すように１箇所に分離部５２を設けた巻き取りリング５１とする場合、リール本体部２９から取り外した際に、巻回した被覆テープ７の締め付け力によっては図７（ｃ）に示すように分離部５２がリングの半径方向上下にずれて重なり、この状態で巻き取りリング５１が締め付けられて被覆テープ７の取り外しが困難となる事態も生じ得る。図７（ｃ）は、巻き取りリング５１の分離部５２周囲の一部を拡大して示している。本態様では、このような現象を生じないようにした巻き取りリングを提供する。
【００３４】
まず、図７（ａ）に示す巻き取りリング６１では、分離部６２の一方の分離面が、図の側面図で見て他方の分離面に向けて突出する凸状部が図面に垂直方向に分離面に沿って形成され、他方の分離面にはこの凸状に対応してこれを受け入れる凹状部が形成されている。分離部６２の各分離面をこのように凸状、凹状に形成された巻き取りリング６１では、被覆テープ７を巻き取った際に被覆テープ７による締め付け力を受けて前記分離部６２の凹部、凸部が強固に突き合わされ、図７（ｃ）の分離部５２に示すように半径方向にずれることがない。ここにいう凹部、凸部には、図７（ａ）に示すＶ字状にかぎらず、凹凸状の段差を設けたもの、円弧状の溝と山を設けたものなど、他の形状とすることも含まれる。
【００３５】
また、図７（ｂ）に示す他の態様の巻き取りリング７１では、２つの分離部７２ａ、７２ｂによって２つの半円状のリング半片７１Ａ、７１Ｂに分割され、各リング半片７１Ａ、７１Ｂの両端部にそれぞれマグネット７３を取り付け、その吸引力により巻き取りリング７１を構成するものとしている。図示のように、マグネット７３をリングの内側に突出させて長めに形成して２つのリング半片７１Ａ、７１Ｂを組み合わせることにより、被覆テープ７を巻回した状態でリング半片７１Ａ、７１Ｂが図７（ｃ）に示すように半径方向にずれることがなくなる。リール本体部２９のボス部４８には、マグネット７３の突出部を受け入れる溝が設けられる。
【００３６】
また、図７（ｂ）に示すようにマグネット７３をリング内径方向に突出させず、マグネット７３の内径が半片７１Ａ、７１Ｂのリング内径とスムーズにつながるように形成してもよい。この場合、いずれか一方の分離部（例えば、７２ａ）で図７（ｃ）に示すように相互に半径方向にずれれば、いずれか他方の分離部（同、７２ｂ）もこれと平行移動して半径方向にずれることにより被覆テープ７の締め付け力は容易に解消される。また、万一両分離部７２ａ、７２ｂにおいて一方のリング半片（例えば７１Ａ）の両端部が共に他方のリング半片（同、７２Ｂ）の両端部の半径方向内側または外側にずれてしまった場合には、両半片７１Ａ、７１Ｂのリング側面が重なるようにくの字に折り曲げることで被覆テープ７の締め付け力を容易に解消させることができる。
【００３７】
なお、リング半片（例えば、７１Ａ）の両端部に取り付けられる２つのマグネットの磁極を相互に逆になるよう配置することにより、両リング半片７１Ａ、７１Ｂを共通化することができる。
【００３８】
つぎに、本発明にかかる第２の実施の形態の巻き取りリングについて図面を参照して説明する。図８は、本実施の形態にかかる巻き取りリング８１を示しており、ここでは、巻き取りリング８１の分離部８２が、リングを形成する軸に対して傾斜した角度で切り離されている。上述したように、被覆テープ７を巻回した巻き取りリング８１には、被覆テープ７を巻き取る際の引張力に呼応して発生する締め付け力が巻き取りリング８１の周囲からリング中央に向けて作用している。この締め付け力の作用により、図示のような傾斜した分離部８２を設けた場合、分離部８２には矢印Ａで示すように分離部８２の両分離面をずらす方向の力が働く。
【００３９】
しかしながら、巻き取りリング８１が被覆テープ７の巻き取り動作をしている間においては、図３または図６に示すように、巻き取りリング８１（図中の符号５１に相当）がリール本体部２９とリールキャップ３１との間に挟持されているため、巻き取りリング８１の分離部８２が図８の矢印Ａに示す方向にずれることがない。そして、一定量の被覆テープ７を巻き取った後、巻き取りリング８１を取り替える際にリールキャップ３１をリール本体部２９から外したときに、傾斜して切断された分離部８２が矢印Ａに示す方向に自然にずれる。このため、被覆テープ７を回収する作業をより容易にすることができる。
【００４０】
また、巻き取りリング８１をリール本体部２９から外した際、瞬時にこの分離部８２の傾斜に沿った滑りによって被覆テープ７の締め付け力が解放されるため、図７（ｃ）に示したような、分離部８２（図中の符号５２に相当）が半径方向上下に重なる現象が生じにくい。但し、必要に応じ、図７（ａ）に示すような凹・凸状部をこの分離部８２の切断方向に沿って設けて、このような現象をより確実に回避するよう構成することも可能である。
【００４１】
以上、本発明にかかる各実施の形態の巻き取りリング、及びこれを使用する巻き取り部、部品供給装置について説明してきたが、各実施の形態では、巻き取った被覆テープと巻き取りリングとを分離することを前提としている。これは、材質の異なる被覆テープと巻き取りリングとを分別して資源の有効利用に資するためである。代替案として、例えば被覆テープと同一材料、もしくは分別の必要のない同質材料から巻き取りリングが形成されている場合であれば、巻き取りリングを完全なリング状に形成し、この巻き取りリングを巻回された被覆テープと共に使い捨て式に廃却することもできる。この場合、巻き取りリングは、被覆テープと同一または同質材料で作られた適切な外径、内径を有するパイプ材を切断して使用することが経済的である。
【００４２】
他の代替案としては、被覆テープ、巻き取りリングを双方を自然環境化で分解される生分解材料から作ることにより、両者を分離することなく廃却が可能となり、この際に廃却によっても自然環境を破壊することはない。
【産業上の利用可能性】
【００４３】
本発明は、部品供給装置を利用して供給される部品を回路基板などに実装する部品実装の産業分野において広く利用することができる。
【図面の簡単な説明】
【００４４】
【図１】部品供給装置の斜視図である。
【図２】部品リールの斜視図である。
【図３】本発明にかかる実施の形態の被覆テープ巻き取り部の断面図である。
【図４】本発明にかかる実施の形態の巻き取りリングを示す斜視図である。
【図５】被覆テープを巻き取った状態のリングを示す断面図である。
【図６】図３に示す被覆テープ巻取り部の他の態様を示す断面図である。
【図７】図４に示す巻き取りリングの他の態様を示す斜視図である。
【図８】本発明にかかる他の実施の形態の巻き取りリングを示す斜視図である。
【符号の説明】
【００４５】
１．部品供給装置本体、  ３．部品リール保持部、  ４．部品リール、  ５．キャリアテープ、  ７．被覆テープ、  ９．被覆テープ巻き取り部、  １１．部品供給部、  １３．駆動力伝達部、  １５．フレーム、  ２９．リール本体部、  ３１．リールキャップ、  ５１．巻き取りリング、  ５１ａ．巻き取り面、  ５１Ａ、５１Ｂ．リング半片、  ５２．分離部、  ６１．巻き取りリング、  ６２．分離部、  ６３．ピン、  ７１．巻き取りリング、  ７１Ａ、７１Ｂ．リング半片、  ７２．分離部、  ７３．マグネット、  ８１．巻き取りリング、  ８２．分離部、  １００．部品供給装置、
【図１】
0004632903.tif 000002
【図２】
0004632903.tif 000003
【図３】
0004632903.tif 000004
【図４】
0004632903.tif 000005
【図５】
0004632903.tif 000006
【図６】
0004632903.tif 000007
【図７】
0004632903.tif 000008
【図８】
0004632903.tif 000009